(57)【要約】【課題】楽器筐体の底板上に電気部品等を配設するスペースを確保できるようにし、且つ充分な耐久性が得られるようにする【解決手段】楽器筐体１００の棚板１０１上に鍵盤１０及びアクション機構５０を配設し、その楽器筐体１００の下部の底板２８上に配設した各ペダル２５〜２７の操作をそれぞれ記アクション機構５０側の各ペダル作動機構へ伝達するために、それぞれペダル天秤２０を含むペダルリンク機構を備えている。そして、棚板１０１の下面側に棚板補強部材１５を設け、その棚板補強部材１５にペダル天秤２０を取り付けて支持させる。棚板１０１の下面と棚板補強部材１５との間にテーパスペーサ１７を打ち込んで、棚板補強部材１５とともに棚板１０１にねじ止めして一体的に固着するとよい。【選択図】        図１
2004177434.tif 000002
【特許請求の範囲】
【請求項１】
楽器筐体の略中央部に設けられた棚板上に、鍵盤及びその各鍵によって駆動されるアクション機構を配設し、該楽器筐体の下部に設けられた底板上にペダルを配設し、該ペダルの操作を前記アクション機構側のペダル作動機構へ伝達するためのペダル天秤を含むペダルリンク機構を備えたアップライト型の鍵盤楽器において、
前記楽器筐体の棚板の下面側に該棚板を補強する棚板補強部材を設け、該棚板補強部材に前記ペダル天秤を取り付けて支持させたことを特徴とする鍵盤楽器。
【請求項２】
請求項１記載の鍵盤楽器において、前記棚板の下面と前記棚板補強部材との間にくさび状部材を打ち込んで、その棚板補強部材とくさび状部材とをねじ止めにより一体的に前記棚板に固着していることを特徴とする鍵盤楽器。
【発明の詳細な説明】
【０００１】
【発明の属する技術分野】
この発明は、アップライトピアノ、電子ピアノ、消音ピアノ、自動演奏ピアノ等のアップライト型（縦型）の鍵盤楽器に関し、特にそのペダル機構に関する。
【０００２】
【従来の技術】
グランドピアノやアップライトピアノ、あるいはそれらを自動演奏させる機構を組み込んだ自動演奏ピアノ等の鍵盤楽器には、演奏効果を高めるために弱音機構（ソフト機構）、マフラ機構、およびダンパ機構（ラウド機構）等のペダル作動機構を備えている。
アップライトピアノは、図５に示すように、楽器筐体１００の略中央部に設けられた棚板１０１上に、鍵盤１０及びその各鍵によって駆動されるアクション機構を配設し、その楽器筐体１００内に立てて設けられたフレームに多数の弦が張られており、押鍵により上記アクション機構のハンマが回動し、対応する弦を打撃して発音させるにように構成されている。
【０００３】
楽器筐体１００は、左右の親板１０２、下部の前土台１０３、左右の妻土台１０４、その妻土台１０４で棚板１０１を支えるための一対の脚柱１０５、下前板１０６、上前板１０７、屋根板１０８、左右一対の腕木１０９と、背面側に設けられている支柱などから構成されており、鍵盤１０上を開閉する鍵盤蓋１１０を備えている。
そして、この楽器筐体１００の前土台１０３の中央部付近から前方に突出するように、３個のペダル、すなわちソフトペダル２５、マフラペダル２６、およびダンパペダル（ラウドペダル）２７が設けられている。
【０００４】
このようなアップライトピアノにおける従来のペダル作動機構は、例えば特許文献１にも記載されている。それを簡単に説明すると、図６に示すように、楽器筐体の下部に設けられた底板２８上に、図５にも示したソフトペダル２５、マフラペダル２６、およびダンパペダル２７をそれぞれ上下方向に揺動可能に配設し、その各ペダルの操作によって、図示していないアクション機構側に設けられた弱音機構、マフラ機構、およびダンパ機構をそれぞれ作動させることができるようになっている。
【０００５】
【特許文献１】
特開２００１−３１２２６９号公報
【０００６】
そして、弱音機構は、ソフトペダルの踏込操作によってハンマレールを弦側に移動させ、ハンマと弦との距離を短縮することによってハンマの打撃力を弱め、演奏音を小さくする機構である。
マフラ機構３６は、マフラペダルの踏込操作によってマフラフェルトを弦とアクション機構との間に介在させ、そのマフラフェルトをを介してハンマが弦を打撃するようにして、演奏音を弱音化する機構である。
さらに、ダンパ機構は、通常はダンパで弦を押圧して止音し、演奏時に鍵盤またはダンパペダルの操作に連動して作動してダンパによる弦の押圧状態を解除する機構であり、鍵盤によって作動される場合は押鍵操作された鍵に対応するダンパのみが作動し、ダンパペダルによって作動される場合は、全てのダンパが作動して、すべての弦を一斉に解放する。
【０００７】
これらの各ペダル作動機構を、楽器筐体の底板上に配設された各ペダルの操作によって作動させるために、ペダル天秤を含むペダルリンク機構を備えている。
すなわち、図６に示す例では、ソフトペダル２５とダンパペダル２７の動きを、それぞれ底板２８上に設けられたぺダル天秤２９，３０を介して突上棒３１，３２に伝達し、それによって図示を省略しているアクション機構側の弱音機構あるいはダンパ機構を作動させるようになっている。
マフラペダル２６の動きは、突上棒３３、リンク３４、および連結棒３５を介して、アクション機構側のマフラ機構３６に伝達される。
なお、ペダル天秤２９，３０は、中央部を軸受部材３７によって底板２８に揺動可能に支持され、圧縮コイルばね３８によって復帰方向に付勢されている。
【０００８】
しかし、このような従来のアップライトピアノにおけるペダルリンク機構は、底板２８の上面にペダル天秤２９，３０を軸受部材３７を介して個々に取付け、復帰用の圧縮コイルばね３８をその各ペダル天秤と底板２８との間に弾装する必要があるため、その作業がわずらわしく組み付けに時間を要していた。
そこで、上記特許文献１では、ペダルによって揺動されるペダル天秤等の揺動部材とその軸受部を基板に一体に配設して基板ユニットとし、その基板ユニットを楽器本体の底板又は棚板に固定するすることが提案されている。
【０００９】
【発明が解決しようとする課題】
このようにすれば、各種のペダル作動機構とそれを操作するためのぺダルとを連結するペダルリンク機構の取り付け作業性は改善されるが、ペダル天秤の基板ユニットを楽器本体の底板上に配設する場合には、底板に充分な剛性が必要になり、そのために前土台などが必要になる。また、自動演奏ピアノや電子ピアノなどの場合、電源装置、電子音源装置、アンプリファイヤなどの電気部品の設置スペースが必要になるが、底板上にそのスペースが充分にとれず、狭いところに多くの部品を取り付けることになり、部品相互の干渉や電気部品が発生する熱の発散が妨げられる等の問題があった。
また、ペダル天秤の基板ユニットを棚板に固定するようにすれば、上述のような問題は解決されるが、棚板の強度が不足する恐れがあり、耐久性の問題が生じる。さらに、どこに取り付けるにしても、ペダル天秤を基板ユニット化するために、軸支部材や戻しばねの位置などの設計上の制約や実動上の制約も生じる。
【００１０】
この発明は、このような問題を解決するためになされたものであり、アップライト型の鍵盤楽器に各種ペダル機構を設けても、楽器筐体の底板上に電気部品等の他の部材を配設するスペースを充分に確保できるようにし、且つ充分な耐久性が得られ、ペダルリンク機構の設計上あるいは実働上の制約も生じないようにすることを目的とする。
【００１１】
【課題を解決するための手段】
この発明は、楽器筐体の略中央部に設けられた棚板上に、鍵盤及びその各鍵によって駆動されるアクション機構を配設し、その楽器筐体の下部に設けられた底板上にペダルを配設し、そのペダルの操作を上記アクション機構側のペダル作動機構へ伝達するためのペダル天秤を含むペダルリンク機構を備えたアップライト型の鍵盤楽器において、上記の目的を達成するため、上記楽器筐体の棚板の下面側に該棚板を補強する棚板補強部材を設け、その棚板補強部材に上記ペダル天秤を取り付けて支持させものである。
さらに、上記棚板の下面と棚板補強部材との間にくさび状部材を打ち込んで、その棚板補強部材とくさび状部材とをねじ止めにより一体的に上記棚板に固着するとよい。
【００１２】
【発明の実施の形態】
以下、この発明の実施の形態を図面に基づいて説明する。
図１はこの発明による鍵盤楽器の一実施形態である電子ピアノの内部構造を示す側面図、図２は同じくそのペダルリンク機構取付部分を示す正面図である。そして、図３は図１に示したアクション機構部分を拡大して示す部分的な側面図、図４はダンパペダルを踏んだときのダンパレバーの動きを示すアクション機構の部分的な側面図である。
【００１３】
この電子ピアノも外観は図５に示したアップライトピアノと殆ど同じであるので、図１および図２において、図５および図６と対応する部分には同一の符号を付してあり、それらの説明は省略する。また、図１および図２において、楽器筐体は仮想線で示している。
図１において、楽器筐体１００の略中央部に設けられた棚板１０１上に、多数の鍵（白鍵と黒鍵を含む）１１を軸１２の回りに揺動可能に備えた鍵盤１０が配置され、その後部上方に各鍵１１によって駆動されるアクション機構５０が配設されている。このアクション機構５０は、棚板１０１上に立設されたブラケット４０に支持され、鍵盤の全鍵域に亘って横架されたセンタレール４１に支持されて、各鍵１１ごとに設けられている。
【００１４】
そのアクション機構５０の詳細は図３に示すように、センタレール４１にウイペンフレンジ５１とバットフレンジ５２とダンパレバーフレンジ５３とダンパロッドヒンジ５４が固着されており、そのウイペンフレンジ５１にウイペン５５が、バットフレンジ５２にバット５６が、ダンパレバーフレンジ５３にダンパレバー５７が、ダンパロッドヒンジ５４にはダンパロッド５８がそれぞれ揺動可能に軸支されている。
【００１５】
バット５６には、先端に図１に示すハンマ６１を設けたハンマシャンク６０とキャッチャ６２を固設している。しかし、電子ピアノは電子音源によって発音するため、ハンマ６１は実際に弦を打撃する必要がないので、ハンマフェルトは設けていない場合が多い。
ダンパ機構を構成するダンパレバー５７も、実際に弦を抑えてその振動を止める必要はないので、ダンパフェルトは設けていない。
ウイペン５５には、図３に示すようにジャック６３が軸支され、バックチェック６４とダンパスプーン６５が固設されている。
そして、鍵盤１０の各鍵１１の後端部上面にキャプスタンボタン１３が固設されている。
【００１６】
このようなアクション機構の構成は一般のアップライトピアノに設けられているものと殆ど同じ構成であるから、その機能の詳細な説明は省略するが、押鍵時のハンマの動作と、ダンパ機構の動作だけを簡単に説明する。
鍵１１が図１に示す矢示Ａ方向に押鍵されると、その鍵１１の後端部に設けられたキャプスタンボタン１３が上昇してウイペン５５を図中で右旋させ、それによってジャック６３がバット５６を押して図中で右旋させる。それによって、ハンマシャンク６０およびハンマ６１が図１に示すＢ方向に仮想線で示す位置まで回動する。
そのとき、図示していないキースイッチが押鍵を検知し、その検知信号により電子音源によって押鍵した鍵に応じた音高の楽音信号を発生する。
【００１７】
ダンパ機構は、各鍵ごとに設けられたダンパレバー５７と、図２にも破線で示すように全鍵に共通に横架されたダンパロッド５８、その一端部に固設した連結レバー６６などによって構成されており、その連結レバー６６端部がダンパペダル２７に連動する突上棒２２の上端部に緩く嵌合している。
押鍵時には、ウイペン５５の右旋回動により、ダンパスプーン６５がそれに係合しているダンパレバー５７のみを図４に示す矢示Ｄ方向（アップライトピアノではダンパフェルトが弦から離れる方向）に回動する。
一方、ダンパペダル２７が踏まれると、後述するペダルリンク機構を介して突上棒２２が図１および図４に示す矢示Ｃ方向に上昇し、それによって連結レバー６６がダンパロッド５８を図４に示す矢示Ｅ方向に回動させる。それによって、このダンパロッド５８に係合している全てのダンパレバー５７を矢示Ｄ方向に回動させる。
【００１８】
次に、図１および図２を参照して、この実施形態におけるペダルリンク機構およびそのペダル天秤の取り付け構造について説明する。
楽器筐体１００の棚板１０１の下面側に、横断面がほぼ正方形の角木材又は鉄パイプ等による棚板補強部材１５が、その両端を左右の親板１０２の内面に親板取付金具１６によって固設されている。
さらに、棚板１０１とこの棚板補強部材１５との隙間にくさび状部材であるテーパスペーサ１７を複数箇所に打ち込んで、棚板補強材１５およびその下面に取り付ける天秤支持板１９とともに、ねじ１８によって棚板１０１に一体的に固着する。
【００１９】
天秤支持板１９には天秤支え４５が固着され、ペダル天秤２０に固着された天秤支え受け金具４６と軸４７によって回動可能に結合し、ペダル天秤２０を図２に示す矢示Ｇ方向に揺動可能に支持している。さらに、この天秤支持板１９とペダル天秤２０との間には、復帰用の圧縮ばね４８が係着されている。
このペダル天秤２０の一端部とダンパペダル２７の吊金用孔とを、ロッド状の部材の両端部に雄ねじを形成した吊金ボルト２１にれぞれ緩くねじ止めして連結している。ペダル天秤２０の他端部設けられた孔には、前述した突上棒２２の下端部を挿入して連結している。
【００２０】
ペダル天秤２０の軸４７による揺動支点は、全長の中央より吊金ボルト２１寄りに位置している。そのため、ダンパペダル２７が図１に示す矢示Ｆ方向に踏み込まれて、吊金ボルト２１が矢示Ｈ方向に下降すると、ペダル天秤２０が矢示Ｇ方向に揺動し、その動きが拡大されて突上棒２２を矢示Ｃ方向に押し上げる。
それによって、前述のように図４に示した連結レバー６６がダンパロッド５８を矢示Ｅ方向に回動させ、全てのダンパレバー５７を矢示Ｄ方向に回動させる。しかし、この場合はダンパレバー５７にはダンパフェルトが付いておらず、常時弦を抑えてもいないので、ぺダルを踏んだ時にもダンパフェルトを弦から解放するわけではなく、単にペダルの操作感をアップライトピアノの場合と同じようにするためのものである。
【００２１】
ダンパペダル２７によって操作されるダンパ機構（ラウド機構も同様）とそのペダルリンク機構について説明したが、ソフトペダルによって操作される弱音機構（ソフト機構）、およびマフラペダル２６によって操作されるマフラ機構の各ペダルリンク機構も、これと同様に構成する。その他のペダル機構を設ける場合にも同様なペダルリンク機構とその取付構造とすることができる。
【００２２】
この実施形態によれば、楽器筐体１００の棚板１０１の下面側にその棚板１０１を補強する棚板補強部材１５を設け、その棚板１０１の下面と棚板補強部材１５との間にくさび状部材であるテーパスペーサ１７を打ち込んで、その棚板補強部材１５とテーパスペーサ１７とをねじ止めにより一体的に前記棚板１０１に固着し、その棚板補強部材１５にペダル天秤２０を取り付けて支持させたので、充分な強度を得ることができ、ペダル操作による強い力が加わっても耐久性を損なうような問題は発生しない。
また、底板２８上にはペダル天秤を配設しないので、他の電気部品等を設置するスペースを充分に確保することができ、電子ピアノや自動演奏ピアノの場合には非常に有効である。しかし、この発明は、アコースティックのアップライトピアノにも同様に適用することができる。
【００２３】
なお、棚板１０１の下面と棚板補強部材１５との間にテーパスペーサ１７を打ち込んで一体に固着すると、強度を一層高めることができるが、この発明に必須ではないので、これを省略してもよい。
また、ペダルとペダル天秤の一端部とを連結する部材は、吊金ボルトに限るものではなく、他のロッド状部材やワイヤあるいは鎖などを使用することもできる。
【００２４】
【発明の効果】
以上説明してきたように、この発明による鍵盤楽器は、各種ペダル機構を設けても、楽器筐体の底板上に電気部品等の他の部材を配設するスペースを充分に確保でき、且つ充分な耐久性が得られ、ペダルリンク機構の設計上あるいは実働上の制約も殆ど生じない。
【図面の簡単な説明】
【図１】この発明による鍵盤楽器の一実施形態である電子ピアノの内部構造を示す側面図である。
【図２】同じくそのペダルリンク機構取付部分を示す正面図である。
【図３】図１に示したアクション機構部分を拡大して示す部分的な側面図である。
【図４】同じくダンパペダルを踏んだときのダンパレバーの動きを示すアクション機構の部分的な側面図である。
【図５】この発明の対象とする鍵盤楽器であるアップライトピアノの外観を示す斜視図である。
【図６】同じくそのアップライトピアノに設けられている従来のペダルリンク機構の例を示す要部斜視図である。
【符号の説明】
１０…鍵盤、１１…鍵、１２…鍵の回動軸、１５…棚板補強部材、１６…親板取付金具、１７：テーパスペーサ（くさび状部材）、１８…ねじ、１９…ペダル天秤支持板、２０…ペダル天秤、２１…吊金ボルト、２２…突上棒、２５…ソフトペダル、２６…マフラペダル、２７…ダンパペダル、２８…底板、４０…ブラケット、４１…センタレール、４５…天秤支え、４６…天秤支え受け金具、４７…軸、４８…圧縮ばね、５０…アクション機構、５７…ダンパレバー、５８ダンパロッド、６０…ハンマ、６６…連結レバー、１００…楽器筐体、１０１…棚板
【図１】
2004177434.tif 000003
【図２】
2004177434.tif 000004
【図３】
2004177434.tif 000005
【図４】
2004177434.tif 000006
【図５】
2004177434.tif 000007
【図６】
2004177434.tif 000008